(57)【要約】【課題】ヘッダ部をより有効的に活用することが可能な商品包装袋を提供する。【解決手段】商品包装袋１００は、袋部１０とヘッダ部５０とを備えている。袋部１０は、表フィルム１１と裏フィルム１２とが互いに溶着されることによって形成される。ヘッダ部５０は、袋部１０に対して固着される。ヘッダ部５０には、テンプレートとしてヘッダ部５０が使用可能であるように角丸長方形状の開口５１が形成されている。【選択図】図１
0003182762.tif 000002
【実用新案登録請求の範囲】
【請求項１】
表フィルムと裏フィルムとが互いに溶着されることによって形成される袋部と、
前記袋部に対して固着されるヘッダ部とを備え、
テンプレートとして前記ヘッダ部が使用可能であるように、前記ヘッダ部に角丸長方形状の開口が形成された、商品包装袋。
【請求項２】
前記ヘッダ部は、前記袋部に対して分離可能に固着される、
請求項１に記載の商品包装袋。
【請求項３】
前記開口の縁には、前記テンプレートの補助線が付与され、
前記補助線として、前記テンプレートを用いて記入される文字の中心線を示す線と、前記テンプレートを用いて記入される文字の数に対応する線とが設けられている、
請求項１または請求項２に記載の商品包装袋。
【請求項４】
筆記具および紙類、または、筆記具もしくは紙類が前記袋部に封入される、
請求項１から請求項３までのいずれか１項に記載の商品包装袋。
【考案の詳細な説明】
【技術分野】
【０００１】
本考案は、商品包装袋のうち、特に、開口がヘッダ部に形成された商品包装袋に関する。
【背景技術】
【０００２】
袋部とヘッダ部とを備え、ヘッダ部に形成された開口に吊り下げ用のロッドが係止される商品包装袋として、特許第３０６０１７１号公報（以下、特許文献１という）に記載された商品包装袋が従来から知られている。
【０００３】
特許文献１に記載の商品包装袋においては、当該商品包装袋の両側縁に沿ってヘッダ部が袋部に分離可能に溶着されている。この構成によれば、当該商品包装袋が梱包されて運搬されるときには、ヘッダ部を袋部に向けて折り畳んでおくことができるため、コンパクトな梱包と運送コスト等の低減とを実現することができる。
【先行技術文献】
【特許文献】
【０００４】
【特許文献１】特許第３０６０１７１号公報
【考案の概要】
【考案が解決しようとする課題】
【０００５】
しかしながら、ヘッダ部および開口は、当該商品包装袋に封入された商品を店頭において陳列するときに用いられるだけであって、商品が購入された後には有用な機能を発揮することがない。そのため、商品の購入後でもヘッダ部を有効的に活用することが望まれていた。
【０００６】
そこで、本考案の目的は、ヘッダ部をより有効的に活用することが可能な商品包装袋を提供することである。
【課題を解決するための手段】
【０００７】
本考案に従った商品包装袋は、袋部とヘッダ部とを備えている。袋部は、表フィルムと裏フィルムとが互いに溶着されることによって形成される。ヘッダ部は、袋部に対して固着される。ヘッダ部には、テンプレートとしてヘッダ部が使用可能であるように角丸長方形状の開口が形成されている。
【０００８】
本考案において、ヘッダ部には、テンプレートとしてヘッダ部を使用することができるように、角丸長方形状の開口が形成されている。この構成によれば、商品が購入された後に、ヘッダ部をテンプレートとして利用することができる。すなわち、本考案によれば、ヘッダ部をより有効的に活用することが可能な商品包装袋を提供することができる。
【０００９】
本考案に従った商品包装袋において、ヘッダ部は、好ましくは、袋部に対して分離可能に固着される。
【００１０】
この構成によれば、当該商品包装袋が梱包されて運搬されるときに、ヘッダ部を袋部に向けて折り畳んだうえでヘッダ部を袋部に対して固着させておくことができるため、コンパクトな梱包と運送コストの低減等とを実現することができる。
【００１１】
本考案に従った商品包装袋において、開口の縁には、好ましくは、テンプレートの補助線が付与されている。また、本考案に従った商品包装袋には、好ましくは、補助線として、テンプレートを用いて記入される文字の中心線を示す線と、テンプレートを用いて記入される文字の数に対応する線とが設けられている。
【００１２】
この構成によれば、使用者が、テンプレートの補助線を用いて文字等を記入することができるので、テンプレートの使用性を向上させることができる。
【００１３】
また、使用者が、テンプレートと補助線とを用いて文字を体裁よく記入することができるため、テンプレートの使用性を向上させることができる。
【００１４】
本考案に従った商品包装袋において、袋部には、好ましくは、筆記具および紙類、または、筆記具もしくは紙類が封入される。
【００１５】
筆記具および紙類、または、筆記具もしくは紙類が封入された当該商品包装袋のヘッダ部にはテンプレートとしての開口が形成されているため、当該商品包装袋に封入された筆記具および紙類、または、筆記具もしくは紙類を使用者が用いる場合に、テンプレートの使用を使用者に促すことができる。
【考案の効果】
【００１６】
以上のように、本考案によれば、ヘッダ部をより有効的に活用することが可能な商品包装袋を提供することができる。
【図面の簡単な説明】
【００１７】
【図１】本考案の商品包装袋においてヘッダ部が袋部に固着され且つ封が閉じられた状態を概略的に示す図であって、（Ａ）は商品包装袋の正面図であって、（Ｂ）は（Ａ）のＢ−Ｂ線の断面図である。
【図２】本考案の商品包装袋においてヘッダ部が袋部に固着され且つ封が開けられた状態を概略的に示す図であって、（Ａ）は商品包装袋の正面図であって、（Ｂ）は（Ａ）のＢ−Ｂ線の断面図である。
【図３】図２（Ａ）のＩＩＩ−ＩＩＩ線の断面図である。
【図４】図２（Ａ）のＩＩＩ−ＩＩＩ線の断面図であって、袋部からヘッダ部の一方端が分離された状態の商品包装袋を示す図である。
【図５】本考案の商品包装袋においてヘッダ部が袋部から分離され且つ封が閉じられた状態を概略的に示す図であって、（Ａ）は商品包装袋の正面図であって、（Ｂ）は（Ａ）のＢ−Ｂ線の断面図である。
【図６】本考案の商品包装袋におけるテンプレートとしてのヘッダ部の使用方法を説明するための概略図である。
【考案を実施するための形態】
【００１８】
以下、本考案の実施の形態を図面に基づいて説明する。
【００１９】
（第１実施形態）
図１に、本考案の商品包装袋の一例としての商品包装袋１００を示す。商品包装袋１００は、袋部１０とヘッダ部５０とを備える。袋部１０の内部には、後述するように、商品としての熨斗袋等の紙類が封入される。図１は、商品包装袋１００においてヘッダ部５０が袋部１０に固着され且つ封が閉じられた状態を概略的に示す図であって、（Ａ）は商品包装袋１００の正面図であって、（Ｂ）は（Ａ）のＢ−Ｂ線の断面図である。
【００２０】
ヘッダ部５０は、袋部１０の長手方向の一端部（言い換えると商品包装袋１００の上部）に配置されている。袋部１０は、表フィルム１１と裏フィルム１２とが互いに溶着されることによって形成される。表フィルム１１と裏フィルム１２とは、一枚の合成樹脂フィルムによって構成されている。一枚の合成樹脂フィルムが折返部１において略半分に折り返されることによって表フィルム１１と裏フィルム１２とに分かれる。折返部１よりも下方に所定の寸法離れた位置において、溶着線部１６が形成されている。溶着線部１６によって表フィルム１１と裏フィルム１２とが溶着されることによって、袋部１０の上端が封止されている。なお、商品包装袋１００における表フィルム１１と裏フィルム１２とは、二枚の合成樹脂を折返部１において溶着することによって構成されていてもよい。
【００２１】
一方、袋部１０の下端は、封口部１４が表フィルム１１の表面１１ｓに接着されることによって封止される。商品包装袋１００の製造時において、裏フィルム１２の下端１５は、表フィルム１１の下端１３よりも袋部１０の長手方向の他端側に位置する。下端１５を含む裏フィルム１２の余剰部分が、表フィルム１１の下端１３を巻き込むように折り曲げられている。これにより、表フィルム１１の表面１１ｓと裏フィルム１２の内面１２ｓとが対向している。この対向する部分に形成された接着剤層３によって、表フィルム１１の表面１１ｓと裏フィルム１２の内面１２ｓとが接着されている。接着剤層３は、接着テープによって形成されている。
【００２２】
袋部１０の両側縁においては、溶着部１７が形成されている。溶着部１７によって、長手方向に沿って折返部１から下端１３まで、表フィルム１１と裏フィルム１２とが溶着されている。これにより、袋部１０の両側縁が封止されている。
【００２３】
ヘッダ部５０は、溶着線部１６によって表フィルム１１と裏フィルム１２とが溶着された部分の上方の部分、つまり、袋部１０の上端と折返部１との間の部分として構成されている。溶着線部１６においてヘッダ部５０が表フィルム１１の表面１１ｓの側に折り曲げられたうえで、溶着部１８においてヘッダ部５０が袋部１０に溶着されている。溶着部１８は、ヘッダ部５０の両側縁に形成されている。溶着部１８における溶着の強度は、溶着部１７における溶着の強度よりも小さい。ただし、溶着部１８は、商品包装袋１００が梱包されて運搬されるときに、袋部１０に対するヘッダ部５０の折り畳みを維持することができる強度を有する。
【００２４】
溶着部１８においては、ヘッダ部５０と袋部１０との相互の対向面に、溶着の強度が相対的に弱められる処理が施されている。例えば、ヘッダ部５０と袋部１０との相互の対向面のうちのいずれか一面または両面に印刷インク等が塗布されることによって、溶着の強度が弱められていてもよい。あるいは、ヘッダ部５０と袋部１０との相互の対向面のうちのいずれか一面または両面にコロナ放電処理が施されることによって、溶着の強度が弱められていてもよい。
【００２５】
ヘッダ部５０は、テンプレートとして利用することができるように構成されている。ヘッダ部５０には、角丸長方形状の開口５１が形成されている。ヘッダ部５０において構成されるテンプレートは、商品包装袋１００に封入された熨斗袋に文字をバランスよく記載することができるように利用されるものである。開口５１は、ヘッダ部５０の平面の略中心に配置されている。開口５１の縁には、複数の補助線が付与されている。開口５１は、テンプレートとしてヘッダ部５０が使用可能であるように、袋部１０または内部の商品に対して所定の大きさを有している。
【００２６】
また、ヘッダ部５０には、芯材シート２が収容されている。芯材シート２は、合成紙または合成樹脂シートによって形成される。なお、芯材シート２は必須ではなく、ヘッダ部５０には芯材シート２が収容されていなくてもよい。
【００２７】
商品包装袋１００は、例えば、内部に商品が封入されないまま梱包されて運搬される。ただし、商品包装袋１００が梱包されるときには、溶着部１８においてヘッダ部５０が袋部１０に溶着されている。図２は、商品が封入される前の商品包装袋１００状態を概略的に示す図である。図２に示す商品包装袋１００においては、ヘッダ部５０が袋部１０に固着され且つ封が開けられている。図２（Ａ）は商品包装袋１００の正面図であって、図２（Ｂ）は図２（Ａ）のＢ−Ｂ線の断面図である。
【００２８】
商品が封入される前の商品包装袋１００の状態としては、袋部１０の下端が開放されている。開放された袋部１０の下端の開口１３ａから商品が挿入されることによって、袋部１０に商品が収容される。商品が収容されたうえで、袋部１０の下端は接着剤層３によって封止される。商品の封入前においては、接着剤層３に剥離テープ４が被覆されている。
【００２９】
商品包装袋１００に収容された商品が陳列される場合には、ヘッダ部５０を袋部１０から分離したうえで商品を吊り下げることができる。すなわち、ヘッダ部５０の開口は、商品包装袋１００に封入された商品をロッド等に吊り下げる場合に、ロッド等を開口５１に通すことが可能である形状を有することが好ましい。なお、商品包装袋１００に収容された商品が陳列される場合でも、溶着部１８においてヘッダ部５０が袋部１０に固着されていてもよい。
【００３０】
溶着部１８における袋部１０とヘッダ部５０とは、溶着部１７における表フィルム１１と裏フィルム１２とよりも弱く固着されている。そのため、作業者がヘッダ部５０と袋部１０との間に折返部１から指等を差し込むことによって、溶着部１８における袋部１０とヘッダ部５０との固着を容易に解消することができる。図３は、図２（Ａ）のＩＩＩ−ＩＩＩ線の断面図である。また、図４は、図２（Ａ）のＩＩＩ−ＩＩＩ線の断面図であって、袋部１０からヘッダ部５０の一方端が分離された状態の商品包装袋１００を示す図である。
【００３１】
図４に示す状態から、さらに、ヘッダ部５０の他方端（図４の左側における溶着部１８）を袋部１０から分離することによって、商品包装袋１００の両側縁において、袋部１０とヘッダ部５０との固着が解消される。
【００３２】
図５は、袋部１０からヘッダ部５０が分離された商品包装袋１００の状態を概略的に示す図である。つまり、図５は、商品包装袋１００においてヘッダ部５０が袋部１０から分離され且つ封が閉じられた状態を概略的に示す図である。図５（Ａ）は商品包装袋１００の正面図であって、図５（Ｂ）は図５（Ａ）のＢ−Ｂ線の断面図である。
【００３３】
袋部１０から分離されたヘッダ部５０は、さらに、袋部１０から完全に切り離すことができる。例えば鋏等を用いて溶着線部１６の近傍において袋部１０とヘッダ部５０との間を切断することによって、袋部１０からヘッダ部５０を切り離すことができる。図示されていないが、ヘッダ部５０と袋部１０との間の位置として、溶着線部１６が位置する範囲または溶着線部１６の近傍には、ミシン目が形成されていてもよい。この構成によれば、ヘッダ部５０を袋部１０から容易に切り離すことができるため、ヘッダ部５０のテンプレートを使用者が容易に使用することができる。
【００３４】
収容された商品を取り出す場合には、封口部１４を接着剤層３から剥がすことにより、袋部１０の下端を開放することができる。あるいは、溶着線部１６の下方において袋部１０とヘッダ部５０との間を切断することによって、袋部１０からヘッダ部５０を切り離すことができる。
【００３５】
袋部１０から切り離されたヘッダ部５０は、テンプレートとして用いることができる。図６は、商品包装袋１００におけるテンプレートとしてのヘッダ部５０の使用方法を説明するための概略図である。
【００３６】
まず、上述のように袋部１０からヘッダ部５０が分離される。続いて、上述のように袋部１０に対してヘッダ部５０が切り離される。商品包装袋１００には、熨斗袋６１と筆記具６２とが封入されているので、これらを取り出したうえで熨斗袋６１にヘッダ部５０を載せることにより、ヘッダ部５０をテンプレートとして用いる。使用者は、補助線が設けられたヘッダ部５０を用いることにより、補助線に沿って熨斗袋６１に体裁よく氏名等を記入することができる。補助線としては、文字の中心線を示す縦に延びる線と、記入される文字の数に対応する横に延びる線とが設けられている。
【００３７】
なお、商品包装袋１００は、一般的な方法または公知の方法によって製造される。商品包装袋１００においては、一般的または公知の商品包装袋とは異なるように開口５１の寸法および形状が設定され、且つ、開口５１の縁に複数の補助線を付与する工程が別に生じる。以下においては、商品包装袋１００の製造方法の一例について説明する。
【００３８】
まず、裏フィルム１２の自由端の縁が表フィルム１１の自由端の縁よりも長く延長されるように、一枚の合成樹脂フィルムとしての長尺体フィルムが略半分に折り曲げられることによって、封口部１４が形成される（図２参照）。封口部１４として、裏フィルム１２の内面１２ｓには、長尺体フィルムの移送方向（図２（Ａ）の左右方向）に沿って接着剤層３が形成されるとともに、接着剤層３に剥離テープ４が被覆される。
【００３９】
折返部１から下端１５および下端１３に向かって所定の寸法離れた位置においては、長尺体フィルムの移送方向に沿って溶着線部１６が形成されることにより、表フィルム１１と裏フィルム１２とが溶着される。これにより、筒形状を有するヘッダ部５０が形成される。筒状のヘッダ部５０に、一方の開口部（図示せず）から芯材シート２が挿入されることにより、ヘッダ部５０に芯材シート２が収容される。なお、上述のように、ヘッダ部５０には芯材シート２が収容されなくてもよい。さらに、芯材シート２を含むヘッダ部５０に孔が開けられることによって開口５１が形成される。また、開口５１の縁には補助線が設けられる。補助線としては、ヘッダ部５０の表面にインク等によって線が付けられていてもよく、開口５１の縁に線状の切り込みが付けられていてもよい。
【００４０】
溶着部１８が形成される位置には、上述の印刷インクの塗布またはコロナ放電処理によって溶着の強度を相対的に弱める処理が施される。このような処理の後に、ヘッダ部５０は、溶着線部１６に沿って袋部１０に対して表フィルム１１の側に折り曲げられる（図２（Ｂ）参照）。長尺体フィルムの移送方向と略直交する方向（図２（Ａ）の上下方向）に沿って長尺体フィルムが所定の寸法ごとに溶断されることにより、各商品包装袋１００として長尺体フィルムが切断されるとともに、溶着部１７，１８が形成される。以上のようにして、商品包装袋１００が製造される。なお、上述した各工程の順については、特に限定されない。
【００４１】
以上のように、商品包装袋１００は、袋部１０とヘッダ部５０とを備えている。袋部１０は、表フィルム１１と裏フィルム１２とが互いに溶着されることによって形成される。ヘッダ部５０は、袋部１０に対して分離可能に固着される。ヘッダ部５０には、テンプレートとしてヘッダ部５０が使用可能であるように角丸長方形状の開口５１が形成されている。
【００４２】
商品包装袋１００において、ヘッダ部５０は、袋部１０に対して分離可能に固着される。この構成によれば、商品包装袋１００が梱包されて運搬されるときに、ヘッダ部５０を袋部１０に向けて折り畳んだうえでヘッダ部５０を袋部１０に対して固着させておくことができるため、コンパクトな梱包と運送コストの低減等とを実現することができる。
【００４３】
なお、ヘッダ部５０は、袋部１０に対して分離可能に固着されていなくてもよい。ヘッダ部５０は袋部１０に対して固着されていればよい。例えば、筒状のヘッダ部５０が袋部１０の一端部に固着される場合に、一端部が開放した袋部１０が固着または溶着されてもよく、一端部が閉塞した袋部１０が固着または溶着されてもよい。また、例えば、折返部１から下端１５および下端１３に向かって所定の寸法離れた位置において溶着線部１６が形成されることにより、表フィルム１１と裏フィルム１２とが単に溶着されていればよい。この構成によれば、上述の印刷インクの塗布またはコロナ放電処理によって溶着の強度を相対的に弱める処理を要しない。さらに、溶着線部１６に沿って袋部１０に対して表フィルム１１の側にヘッダ部５０を折り曲げる処理（図２（Ｂ）参照）も不要である。
【００４４】
商品包装袋１００において、ヘッダ部５０には、テンプレートとしてヘッダ部５０を利用することができるように、角丸長方形状の開口５１が形成されている。この構成によれば、商品が購入された後に、ヘッダ部５０をテンプレートとして利用することができる。すなわち、商品包装袋１００においては、ヘッダ部５０をより有効的に活用することができる。
【００４５】
このようにすることにより、ヘッダ部５０をより有効的に活用することが可能な商品包装袋１００を提供することができる。
【００４６】
商品包装袋１００において、開口５１の縁には、テンプレートの補助線が付与されている。商品包装袋１００において、補助線として、テンプレートを用いて記入される文字の中心線を示す線と、テンプレートを用いて記入される文字の数に対応する線とが設けられている。
【００４７】
この構成によれば、使用者が、テンプレートの補助線を用いて文字等を記入することができるので、テンプレートの使用性を向上させることができる。また、使用者が、テンプレートと補助線とを用いて文字を体裁よく記入することができるため、テンプレートの使用性を向上させることができる。
【００４８】
商品包装袋１００において、袋部１０には、紙類としての熨斗袋６１と、筆記具６２とが封入される。
【００４９】
筆記具６２と熨斗袋６１とが封入された商品包装袋１００のヘッダ部５０にはテンプレートとしての開口５１が形成されているため、商品包装袋１００に封入された筆記具６２と熨斗袋６１とを使用者が用いる場合に、テンプレートの使用を使用者に促すことができる。
【００５０】
商品包装袋１００において、ヘッダ部５０の横方向（図１（Ａ）の左右方向）の寸法は、袋部１０の横方向（図１（Ａ）の左右方向）と略同一であって、ヘッダ部５０の縦方向（図１（Ａ）の上下方向）の寸法は、袋部１０の縦方向（図１（Ａ）の上下方向）の寸法と異なっている。ただし、ヘッダ部５０の縦方向の寸法が袋部１０の縦方向の寸法と略同一であるように、ヘッダ部５０と袋部１０とが構成されていてもよい。
【００５１】
さらに、角丸長方形状の開口５１の長手方向と袋部１０の長手方向（袋部１０の縦方向）が略平行な方向であるようにヘッダ部５０に開口５１が形成されたうえで、袋部１０にヘッダ部５０が固着されていてもよい。また、例えば、熨斗袋６１に記入する文字の数等に応じて複数のテンプレートのうちのいずれかを使用者が適宜選択することができるように、ヘッダ部５０には複数の開口が形成されていてもよい。さらに、開口ごとに異なる補助線が付与されていてもよい。
【００５２】
上述のように、商品包装袋１００において、開口５１は、テンプレートとしてヘッダ部５０が使用可能であるように、袋部１０または商品に対して所定の大きさを有している。言い換えると、開口５１の寸法は、収容される商品にバランス良く記入される文字の大きさに対応していることが好ましい。また、テンプレートとしてのヘッダ部５０は、商品としての紙類等において図６に示すように縦書きに利用されるものであってもよく、紙類等において横書きに利用されるものであってもよい。
【００５３】
なお、商品包装袋１００に収容される商品としては、文字の記入または図画の描写が可能なものであればよく、熨斗袋６１、封筒、または、カード等の紙類の他に、不織布もしくは織布等を含む布類、または、板材等であってもよい。
【００５４】
なお、商品包装袋１００に収容される筆記具６２としては、筆ペン、サインペン、ボールペン、鉛筆、筆および絵具のセット、または、毛筆および墨汁のセット等であってもよい。さらに、筆記具６２のインク等の色は限定されず、例えば、複数の色ごとに複数の筆記具６２が収容されていてもよい。
【００５５】
また、商品包装袋１００には、紙類、布類、もしくは、板材等の文字の記入または図画の描写が可能なもののみが収容され、筆記具６２が収容されていなくてもよい。あるいは、商品包装袋１００には、筆記具６２のみが収容され、紙類、布類、もしくは、板材等の文字の記入または図画の描写が可能なものが収容されていなくてもよい。商品包装袋１００においては、筆記具６２および例えば熨斗袋６１、または、筆記具６２もしくは例えば紙類が封入された商品包装袋１００のヘッダ部５０にテンプレートとしての開口５１が形成されているため、商品包装袋１００に封入された筆記具６２および例えば紙類、または、筆記具６２もしくは例えば紙類を使用者が用いる場合に、テンプレートの使用を使用者に促すことができる。
【００５６】
商品包装袋１００においては、ヘッダ部５０と封口部１４とが、それぞれ、商品包装袋１００の長手方向の一端側と他端側とに別々に配置されている（図１（Ａ），（Ｂ）参照）。ただし、図示していないが、本考案の商品包装袋としては、ヘッダ部と封口部とが、当該商品包装袋において略同一の位置に互いに重なるように配置されたものであってもよい。つまり、本考案の商品包装袋は、ヘッダ部が封口部に重なるようにヘッダ部が袋部に対して折り曲げられたものであってもよい。
【００５７】
以上に開示された実施の形態はすべての点で例示であって制限的なものではないと考慮されるべきである。本考案の範囲は、以上の実施の形態ではなく、実用新案登録請求の範囲によって示され、実用新案登録請求の範囲と均等の意味および範囲内でのすべての修正と変形を含むものである。
【符号の説明】
【００５８】
１０：袋部、１１：表フィルム、１２：裏フィルム、５０：ヘッダ部、５１：開口、６１：熨斗袋、６２：筆記具、１００：商品包装袋
【図１】
0003182762.tif 000003
【図２】
0003182762.tif 000004
【図３】
0003182762.tif 000005
【図４】
0003182762.tif 000006
【図５】
0003182762.tif 000007
【図６】
0003182762.tif 000008